(57)【要約】【課題】例えば、より簡単に照明装置の更新を行うことが可能な新規な構成のエレベータの照明装置の取付構造を得る。【解決手段】実施形態のエレベータの照明装置の取付構造では、例えば、第一の部材は、かごの天井を構成する第一の壁部の上側で第一の方向に沿って延び、第一の壁部に設けられた第一の貫通孔を上側から跨ぐ状態に設けられる。複数の第二の部材は、第一の部材に第一の方向に沿って移動可能に支持され、第一の貫通孔の縁部に第一の貫通孔の内側から引っ掛かる状態で第一の部材に固定され、互いに第一の方向に離間する。第三の部材は、第一の壁部と第一の部材との間に位置され、第二の貫通孔が設けられ、第二の貫通孔と第一の貫通孔とが重なった状態で第一の壁部を上側から覆う。第四の部材は、第一の部材に固定され、第二の貫通孔を介して第一の貫通孔側に露出した照明装置の取付部を有する。【選択図】図２
2017193431.tif 000002
【特許請求の範囲】
【請求項１】
かごの天井を構成する第一の壁部の上側で第一の方向に沿って延び、前記第一の壁部に設けられた第一の貫通孔を上側から跨ぐ状態に設けられた第一の部材と、
前記第一の部材に前記第一の方向に沿って移動可能に支持され、前記第一の貫通孔の縁部に前記第一の貫通孔の内側から引っ掛かる状態で前記第一の部材に固定され、互いに前記第一の方向に離間した複数の第二の部材と、
前記第一の壁部と前記第一の部材との間に位置され、第二の貫通孔が設けられ、前記第二の貫通孔と前記第一の貫通孔とが重なった状態で前記第一の壁部を上側から覆う第三の部材と、
前記第一の部材に固定され、前記第二の貫通孔を介して前記第一の貫通孔側に露出した照明装置の取付部を有した、第四の部材と、
を備えた、エレベータの照明装置の取付構造。
【請求項２】
前記第二の部材は、前記第一の部材に、前記第一の壁部の厚さ方向に沿って延びる回転中心回りに、回転可能に支持された、請求項１に記載のエレベータの照明装置の取付構造。
【請求項３】
かごの天井、床、および側面のそれぞれを構成する壁部と、
前記壁部のうち前記かごの天井を構成する第一の壁部の上側で第一の方向に沿って延び、前記第一の壁部に設けられた第一の貫通孔を上側から跨ぐ状態に設けられた第一の部材と、
前記第一の部材に前記第一の方向に沿って移動可能に支持され、前記第一の貫通孔の縁部に前記第一の貫通孔の内側から引っ掛かる状態で前記第一の部材に固定され、互いに前記第一の方向に離間した複数の第二の部材と、
前記第一の壁部と前記第一の部材との間に位置され、第二の貫通孔が設けられ、前記第二の貫通孔と前記第一の貫通孔とが重なった状態で前記第一の壁部を上側から覆う第三の部材と、
前記第一の部材に固定され、前記第二の貫通孔を介して前記第一の貫通孔側に露出した照明装置の取付部を有した、第四の部材と、
前記取付部に取り付けられた前記照明装置と、
を備えた、エレベータの乗りかご。
【請求項４】
かごの天井を構成する第一の壁部に設けられた第一の貫通孔の縁部に、互いに第一の方向に離間した複数の第二の部材のそれぞれを前記第一の貫通孔の内側から引っ掛ける工程と、
第二の貫通孔が設けられた第三の部材によって、前記第二の貫通孔と前記第一の貫通孔とが重なった状態で前記第一の壁部を上側から覆う工程と、
第一の部材を、前記第一の方向に沿って延び前記第一の貫通孔を上側から跨ぐ状態に設け、当該第一の部材に前記第一の貫通孔の縁部に引っ掛かった状態の前記第二の部材を固定する工程と、
照明装置の取付部が設けられた第四の部材を、前記取付部が前記第二の貫通孔を介して前記第一の貫通孔側に露出する状態に、前記第一の部材に固定する工程と、
前記取付部に前記照明装置を取り付ける工程と、
を有した、エレベータの照明装置の取付方法。
【請求項５】
前記第一の部材は、前記第一の方向および前記第一の壁部の厚さ方向と交差した第二の方向に互いに間隔をあけて設けられた第一の部品および第二の部品を有し、
前記第一の部材に前記第二の部材を固定する工程では、前記第一の部品と前記第二の部品との間にダミー部材を挟んだ状態で、前記第一の部材に前記第二の部材を固定し、
前記第一の部材に前記第四の部材が固定される前において、前記ダミー部材を取り外す工程をさらに有した、
請求項４に記載のエレベータの照明装置の取付方法。
【発明の詳細な説明】
【技術分野】
【０００１】
本発明の実施形態は、エレベータの照明装置の取付構造、エレベータの乗りかご、およびエレベータの照明装置の取付方法に関する。
【背景技術】
【０００２】
従来、エレベータの照明装置の更新時に、かごの天井を構成する壁部に新しい照明装置を直接固定するための複数の取付穴を設け、当該取付穴に新しい照明装置を取り付けた、エレベータの照明装置の取付構造が知られている。
【先行技術文献】
【特許文献】
【０００３】
【特許文献１】特開２００９−２１５００９号公報
【発明の概要】
【発明が解決しようとする課題】
【０００４】
この種のエレベータの照明装置の取付構造では、例えば、より簡単に照明装置の更新を行うことが可能な新規な構成が得られれば、好ましい。
【課題を解決するための手段】
【０００５】
実施形態のエレベータの照明装置の取付構造は、例えば、第一の部材と、第二の部材と、第三の部材と、第四の部材と、を備える。第一の部材は、かごの天井を構成する第一の壁部の上側で第一の方向に沿って延び、第一の壁部に設けられた第一の貫通孔を上側から跨ぐ状態に設けられる。複数の第二の部材は、第一の部材に第一の方向に沿って移動可能に支持され、第一の貫通孔の縁部に第一の貫通孔の内側から引っ掛かる状態で第一の部材に固定され、互いに第一の方向に離間する。第三の部材は、第一の壁部と第一の部材との間に位置され、第二の貫通孔が設けられ、第二の貫通孔と第一の貫通孔とが重なった状態で第一の壁部を上側から覆う。第四の部材は、第一の部材に固定され、第二の貫通孔を介して第一の貫通孔側に露出した照明装置の取付部を有する。
【図面の簡単な説明】
【０００６】
【図１】図１は、第１実施形態のエレベータの乗りかごの例示的かつ模式的な概略構成図である。
【図２】図２は、図１のII−II断面図である。
【図３】図３は、第１実施形態のエレベータの照明装置の取付構造の例示的かつ模式的な斜視図である。
【図４】図４は、第１実施形態のエレベータの照明装置の取付方法の例示的なフローチャートである。
【図５】図５は、第１実施形態のエレベータの照明装置の取付方法の第一の工程を説明する例示的かつ模式的な斜視図である。
【図６】図６は、第１実施形態のエレベータの照明装置の取付方法の第二の工程を説明する例示的かつ模式的な斜視図である。
【図７】図７は、第１実施形態のエレベータの照明装置の取付方法の第三の工程を説明する例示的かつ模式的な斜視図である。
【図８】図８は、第１実施形態のエレベータの照明装置の取付方法の第四の工程を説明する例示的かつ模式的な斜視図である。
【図９】図９は、第２実施形態のエレベータの照明装置の取付構造の第一の壁部に取り付けられた状態での例示的かつ模式的な斜視図である。
【図１０】図１０は、第２実施形態のエレベータの照明装置の取付構造が取り付けられる第一の貫通孔の例示的かつ模式的な平面図である。
【図１１】図１１は、第２実施形態のエレベータの照明装置の取付構造の例示的かつ模式的な斜視図である。
【図１２】図１２は、第３実施形態のエレベータの照明装置の取付構造の例示的かつ模式的な断面図である。
【図１３】図１３は、第３実施形態のエレベータの照明装置の取付構造の例示的かつ模式的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が定義されている。Ｘ方向は、第一の部材３の長手方向に沿い、Ｙ方向は、第二の部材４の長手方向に沿い、Ｚ方向は、壁部２ａの厚さ方向に沿っている。Ｘ方向、Ｙ方向、およびＺ方向は、互いに直交している。Ｘ方向は、第一の方向の一例であり、Ｙ方向は、第二の方向の一例である。
【０００９】
＜第１実施形態＞
図１に示されるように、エレベータの乗りかご１は、例えば、かご２と、照明装置７と、を備える。乗りかご１は、鉛直方向、すなわちＺ方向に沿って延びるエレベータの昇降路内を移動可能に設けられている。
【００１０】
かご２は、例えば、Ｚ方向に縦長の直方体の箱状に構成されている。かご２は、複数の壁部２ａ〜２ｅを有する。壁部２ａおよび壁部２ｂは、いずれも、Ｚ方向と直交する方向に沿っており、Ｚ方向に間隔をあけて互いに平行に設けられている。壁部２ａは、上壁部や天壁部等と称され、かご２の天井を構成している。また、壁部２ｂは、下壁部や底壁部等と称され、かご２の床を構成している。図５にも示されるように、壁部２ａには、Ｚ方向に見て四角形状の貫通孔２ｒが設けられている。壁部２ａは、第一の壁部の一例であり、貫通孔２ｒは、第一の貫通孔の一例である。
【００１１】
また、図１に示されるように、壁部２ｃおよび壁部２ｄは、いずれも、Ｘ方向と直交する方向に沿っており、Ｘ方向に間隔をあけて互いに平行に設けられている。また、一対の壁部２ｅは、いずれも、Ｙ方向すなわち図１の紙面と垂直な方向に沿っており、Ｙ方向に間隔をあけて互いに平行に設けられている。なお、図１では、便宜上、一対の壁部２ｅのうち扉２ｘ側の一つのみが示されている。壁部２ｃ〜２ｅは、側壁部等と称され、かご２の側面を構成している。
【００１２】
また、扉２ｘ側の壁部２ｅには、操作部２ｙが設けられている。操作部２ｙには、扉２ｘの開閉ボタンや、行先階ボタン（かご呼びボタン）等が設けられている。扉２ｘは、壁部２ｅに設けられた開口部（不図示）を開閉可能に覆う。扉２ｘは、スライドドアである。扉２ｘは、Ｘ方向に沿って、閉位置（図１参照）と開位置（不図示）との間で移動する。
【００１３】
乗りかご１の壁部２ａ（天井）には、照明装置７を取り付けるための取付構造１０（エレベータの照明装置の取付構造）が設けられている。図２，３に示されるように、取付構造１０は、例えば、第一の部材３と、第二の部材４と、第三の部材５と、第四の部材６と、を備える。
【００１４】
第一の部材３は、例えば、Ｌ字状断面を有したアングル材であり、互いに直交する二つの壁部３ａ，３ｂを有する。第一の部材３は、Ｘ方向に延びた姿勢で設置される。壁部３ａは、壁部２ａと面しＸＹ平面に沿って延びるとともに、Ｘ方向に長い長方形状の板状に構成されている。壁部３ｂは、ＸＺ平面に沿って延びるとともに、Ｘ方向に長い長方形状の板状に構成されている。壁部３ｂには、Ｘ方向に互いに間隔をあけて複数の開口部３ｒが設けられている。開口部３ｒは、例えば、Ｘ方向に沿って延びた長穴である。
【００１５】
また、図３に示されるように、第一の部材３は、第一の部品３Ａと、第二の部品３Ｂと、を有する。第一の部品３Ａと第二の部品３Ｂとは、互いに対称に配置されているものの、同じ仕様の部品であり、それぞれ壁部３ａ，３ｂを有している。第一の部品３Ａと第二の部品３Ｂとは、壁部３ｂ同士が互いに離れた姿勢で、Ｙ方向に間隔をあけて互いに平行に設けられている。
【００１６】
第二の部材４は、例えば、Ｃ字状の断面を有して直線状に延びている。第二の部材４は、その長手方向がＹ方向に沿う姿勢で配置され、貫通孔２ｒの直線状の縁部２ｒ１（図２，５参照）を、当該貫通孔２ｒの内側から覆う状態、すなわち引っ掛かる状態に取り付けられる。第二の部材４は、例えば、壁部４ａと、爪部４ｂと、突出部４ｃ（図３参照）と、を有する。壁部４ａは、Ｙ方向に長い長方形状の板状に構成され、第二の部材４が壁部２ａ（図２参照）に取り付けられた状態では、壁部２ａの上側で当該壁部２ａに沿って延びている。
【００１７】
また、爪部４ｂは、第一の部分４ｂ１と、第二の部分４ｂ２と、を有する。第一の部分４ｂ１は、第二の部材４が壁部２ａに取り付けられた状態では、貫通孔２ｒ内に位置されて縁部２ｒ１と面し、ＸＹ平面に沿って延びた壁部４ａのＸ方向の端部からＺ方向に沿って延びている。第二の部分４ｂ２は、Ｙ方向に長い長方形の板状に構成され、第二の部材４が壁部２ａに取り付けられた状態では、壁部２ａの下側で当該壁部２ａに沿って延びている。
【００１８】
また、図３に示されるように、突出部４ｃは、第一の部分４ｃ１と、第二の部分４ｃ２と、を有する。第一の部分４ｃ１は、壁部４ａに沿って延びた四角形状の板状に構成されている。また、第二の部分４ｃ２は、壁部３ｂに沿って延びた四角形状の板状に構成され、第一の部分４ｃ１のＹ方向の端部と接続されている。第二の部分４ｃ２には、壁部３ｂの開口部３ｒとＹ方向に連通する開口部４ｄ（図５参照）が設けられている。なお、突出部４ｃは、壁部４ａや爪部４ｂ等とは別の部品として構成され、例えば、溶接等により壁部４ａと一体化されている。
【００１９】
図３に示されるように、本実施形態では、開口部４ｄおよび開口部３ｒを貫通したボルト１２にナット１３が噛み合うことによって、第一の部材３と第二の部材４とが一体化される。ボルト１２とナット１３とが噛み合ってはいるものの完全には締結されていない状態、すなわち、ボルト１２の頭部とナット１３との間に、第二の部分４ｃ２および壁部３ｂがきつく挟まれていない状態では、第二の部材４は、開口部３ｒの範囲内で第一の部材３に対してＸ方向に移動可能である。すなわち、第一の部材３の壁部３ｂに設けられた開口部３ｒは、第二の部材４をスライド可能に支持するレールとして機能しうるとともに、ボルト１２の軸部は、レールとしての開口部３ｒに沿って移動するスライダとして機能しうる。また、ボルト１２とナット１３とが締結され、ボルト１２の頭部とナット１３との間に、第二の部分４ｃ２および壁部３ｂがきつく挟まれた状態では、第二の部材４の第一の部材３に対するＸ方向への移動が制限される。
【００２０】
また、図２に示されるように、第二の部材４は、貫通孔２ｒのＸ方向の両側の縁部２ｒ１にそれぞれ設けられている。複数（二つ）の第二の部材４は、互いに同じ仕様の部品であり、それぞれ壁部４ａ、爪部４ｂ、および突出部４ｃを有している。複数の第二の部材４は、それぞれの爪部４ｂの先端部同士が互いに反対側を向いた状態で、Ｘ方向に間隔をあけて互いに平行に設けられている。
【００２１】
図６に示されるように、第三の部材５は、壁部５ａを有する。壁部５ａは、Ｘ方向に長い長方形状の板状に構成され、壁部２ａに沿って延びている。壁部５ａは、壁部２ａの貫通孔２ｒを上側から覆う。壁部５ａのＸ方向に沿った幅およびＹ方向に沿った幅は、例えば、貫通孔２ｒのＸ方向に沿った幅およびＹ方向に沿った幅よりも大きい。また、壁部５ａには、貫通孔２ｒとＺ方向に連通する貫通孔５ｒが設けられている。貫通孔５ｒは、Ｚ方向に見て四角形状に構成されている。また、貫通孔５ｒは、貫通孔２ｒよりも小さい。壁部５ａは、覆部やパネル部等と称されうる。貫通孔５ｒは、第二の貫通孔の一例である。
【００２２】
図２，３に示されるように、第四の部材６は、例えば、ベース部６ａと、取付部６ｂと、を有する。ベース部６ａは、壁部２ａに沿って延びた四角形状の板状に構成されている。図３に示されるように、ベース部６ａは、第一の部材３の第一の部品３Ａと第二の部品３Ｂとの間に位置されている。ベース部６ａは、壁部３ａと対向した面６ａ１と、壁部３ｂと対向した面６ａ２と、を有する。面６ａ１は、壁部３ａに支持され、面６ａ２は、壁部３ｂに支持される。また、面６ａ２には、壁部３ｂの開口部３ｒとＹ方向に連通するねじ穴（不図示）が設けられている。そして、ねじ穴に壁部３ｂを間に挟んだ状態でボルト１４が結合されることにより、第一の部材３と第四の部材６とが一体化される。
【００２３】
また、図２に示されるように、取付部６ｂは、ベース部６ａからＺ方向に沿って延び、貫通孔５ｒおよび貫通孔２ｒを貫通している。すなわち、取付部６ｂは、貫通孔５ｒの大きさよりも小さい。取付部６ｂは、貫通孔５ｒを介して貫通孔２ｒ側に露出する。取付部６ｂには、例えば、照明装置７のコネクタ（不図示）と接続可能なソケット（不図示）が設けられうる。コネクタとソケットとの接続によって、照明装置７と第四の部材４とが、機械的に接続されるとともに、電気的に接続される。ソケットは、引っ掛かりシーリング等とも称されうる。
【００２４】
次に、エレベータの照明装置７の取付方法について説明する。
【００２５】
図５に示されるように、まず、壁部２ａに設けられた貫通孔２ｒの縁部２ｒ１に、互いにＸ方向に離間した複数の第二の部材４のそれぞれを貫通孔２ｒの内側から引っ掛ける（図４のＳ１）。
【００２６】
次に、図６に示されるように、第三の部材５によって、貫通孔５ｒと貫通孔２ｒとが重なった状態で壁部２ａを上側から覆う（図４のＳ２）。
【００２７】
次に、図７に示されるように、第一の部材３を、Ｘ方向に沿って延び貫通孔２ｒを上側から跨ぐ状態に設け、当該第一の部材３に貫通孔２ｒの縁部２ｒ１に引っ掛かった状態の第二の部材４を固定する。これにより、第一の部材３と二つの第二の部材４とのサブアセンブリは、壁部２ａの貫通孔２ｒの縁部２ｒ１に固定される（図４のＳ３）。
【００２８】
次に、図２，８に示されるように、第四の部材６を、取付部６ｂが貫通孔５ｒを介して貫通孔２ｒ側に露出する状態に、第一の部材３に固定する（図４のＳ４）。
【００２９】
そして、図１，２に示されるように、取付部６ｂに、かご２の内側から照明装置７を取り付ける（図４のＳ５）。
【００３０】
以上のように、本実施形態では、例えば、取付構造１０（エレベータの照明装置の取付構造）、および乗りかご１は、かご２の天井を構成する壁部２ａ（第一の壁部）の上側でＸ方向（第一の方向）に沿って延び、壁部２ａに設けられた貫通孔２ｒ（第一の貫通孔）を上側から跨ぐ状態に設けられた第一の部材３と、第一の部材３にＸ方向に沿って移動可能に支持され、貫通孔２ｒの縁部２ｒ１に貫通孔２ｒの内側から引っ掛かる状態で第一の部材３に固定され、互いにＸ方向に離間した複数の第二の部材４と、壁部２ａと第一の部材３との間に位置され、貫通孔５ｒ（第二の貫通孔）が設けられ、貫通孔５ｒと貫通孔２ｒとが重なった状態で壁部２ａを上側から覆う第三の部材５と、第一の部材３に固定され、貫通孔５ｒを介して貫通孔２ｒ側に露出した照明装置７の取付部６ｂを有した、第四の部材６と、を備える。よって、本実施形態によれば、作業者は、取付構造１０を、かご２の天井を構成する壁部２ａに、比較的容易に取り付けることができる。よって、例えば、照明装置７の更新時等に、既存の壁部２ａに新しい照明装置７を直接固定するための複数の取付穴を設ける場合や、既存の壁部２ａを新しい照明装置７が取り付けられた壁部２ａと交換する場合等と比べて、作業に要する手間や費用が低減しうる。また、第一の部材３における第二の部材４の固定位置が可変に設定されるため、壁部２ａの貫通孔２ｒの大きさが異なる複数の仕様の乗りかご１に対応することができる。すなわち、貫通孔２ｒの大きさが異なる複数の仕様で、部品の共用化を図ることができる。
【００３１】
なお、本実施形態では、貫通孔２ｒが第三の部材５によって覆われた後に、第一の部材３と第二の部材４とが固定された場合が例示されたが、これには限定されず、例えば、第一の部材３と第二の部材４とが固定された後に、第三の部材５が壁部２ａと第一の部材３との間の隙間を通るように壁部２ａに沿って移動され、これにより貫通孔２ｒが第三の部材５によって覆われる状態が得られてもよい。また、本実施形態では、第二の部材４が貫通孔２ｒのＸ方向の両側の縁部２ｒ１に引っ掛けられた場合が例示されたが、これには限定されず、例えば、第二の部材４が貫通孔２ｒのＹ方向の両側の縁部２ｒ１に引っ掛けられてもよい。また、例えば、貫通孔２ｒの上側に井桁状の第一の部材３が設けられ、当該第一の部材３に複数の第二の部材４がＸ方向およびＹ方向に沿って移動可能に支持されてもよい。
【００３２】
＜第２実施形態＞
図９〜１１に示される実施形態の取付構造１０Ａは、上記第１実施形態の取付構造１０と同様の構成を備えている。よって、本実施形態によっても、上記第１実施形態と同様の構成に基づく同様の結果（効果）が得られる。
【００３３】
ただし、本実施形態では、例えば、図１１に示されるように、第二の部材４Ａが第一の部品４１と第二の部品４２とを有している点が、上記実施形態と相違している。第一の部品４１と第二の部品４２とは、互いに同じ仕様の部品であり、それぞれ壁部４ａ、および爪部４ｂを有している。また、第一の部品４１および第二の部品４２、すなわち第二の部材４Ａには、それぞれ、壁部４ａからＺ方向に沿って突出した軸部４ｆが設けられている。軸部４ｆは、突出部４ｃの第一の部分４ｃ１に設けられた開口部（不図示）に、回転中心Ａｘ回りに回転可能に挿入されている。軸部４ｆの周面には、ナット１６の雌ネジ部と接続可能な雄ネジ部が設けられている。本実施形態では、第一の部分４ｃ１の開口部を貫通した軸部４ｆにナット１６が噛み合うことによって、第一の部材３に固定される突出部４ｃを介して、第二の部材４Ａと第一の部材３とが一体化される。軸部４ｆとナット１６とが噛み合ってはいるものの完全には締結されていない状態、すなわち壁部４ａとナット１６との間に、第一の部分４ｃ１がきつく挟まれていない状態では、第二の部材４Ａは、突出部４ｃひいては第一の部材３に対して軸部４ｆの回転中心Ａｘ回りに回転可能である。すなわち、第一の部分４ｃ１の開口部、軸部４ｆ、およびナット１６は、第二の部材４Ａの取付角度を調節する角度調節機構として機能しうる。また、軸部４ｆとナット１６とが締結され、壁部４ａとナット１６との間に、第一の部分４ｃ１がきつく挟まれた状態では、第二の部材４Ａの、突出部４ｃひいては第一の部材３に対する回転中心Ａｘ回りの回転が制限される。図１０に示されるように、本実施形態では、貫通孔２ｓ（第一の貫通孔）の縁部２ｓ１に、Ｘ方向およびＹ方向に対して交差した傾斜部２ｓ２が設けられている。本実施形態によれば、上述した構成によって第二の部材４Ａの取付角度を調節することができるため、例えば、第二の部材４Ａを、爪部４ｂの第一の部分４ｂ１が傾斜部２ｓ２に沿った状態で、縁部２ｓ１に取り付けることができる。よって、例えば、第二の部材４Ａが貫通孔２ｓの縁部２ｓ１によりしっかりと取り付けられやすい。このように、本実施形態によれば、第二の部材４Ａが回転中心Ａｘ回りに回転可能に構成されているため、当該第二の部材４Ａによって、壁部２ａの貫通孔２ｓの形状が異なる複数の仕様の乗りかご１（図１参照）に対応することができる。すなわち、貫通孔２ｓの形状が異なる複数の仕様で、部品の共用化を図ることができる。
【００３４】
また、図１１に示されるように、本実施形態では、第二の部材４Ａの第一の部材３への固定に関しては、第一の部品３Ａと第二の部品３Ｂとの間にダミー部材８を挟んだ状態で、第二の部材４Ａを第一の部材３へ固定している。ダミー部材８は、第四の部材６と略同じ仕様の部品である。ダミー部材８の壁部３ｂと対向する面には、壁部３ｂの開口部３ｒと連通するねじ穴（不図示）が設けられている。ねじ穴に壁部３ｂを間に挟んだ状態でボルト１４が結合されることにより、ダミー部材８と第一の部材３とが一体化される。そして、本実施形態では、第一の部材３に第四の部材６が固定される前、すなわち図４のＳ３とＳ４との間において、ダミー部材８が第一の部材３から取り外される（Ｓ６）。仮に、第一の部品３Ａと第二の部品３Ｂとの間にダミー部材８が無い状態で、第一の部材３と第二の部材４Ａとが互いに固定された場合、第一の部品３Ａと第二の部品３Ｂとが互いに交差する等、第一の部材３が、当該第一の部材３に第四の部材６を取り付けることができない姿勢で、設置される虞がある。その点、本実施形態によれば、第一の部品３Ａと第二の部品３Ｂとの間にダミー部材８を挟んだ状態で、第二の部材４Ａを第一の部材３へ固定しているため、上述した不都合が抑制され、ひいては取り付け作業が、より円滑に、より精度よく、あるいはより迅速に行われやすい。ダミー部材８は、位置決め部材や、スペーサ等とも称されうる。
【００３５】
＜第３実施形態＞
図１２，１３に示される実施形態の取付構造１０Ｂは、上記第１実施形態の取付構造１０と同様の構成を備えている。よって、本実施形態によっても、上記第１実施形態と同様の構成に基づく同様の結果（効果）が得られる。
【００３６】
ただし、本実施形態では、例えば、図１２，１３に示されるように、第一の部材３に複数（例えば、二つ）の第四の部材６が取り付けられている点が、上記実施形態と相違している。第三の部材５には、複数の貫通孔５ｒが、第四の部材６の取付部６ｂに対応して設けられている。図１２に示されるように、本実施形態では、照明装置７Ａは、複数の取付部６ｂのそれぞれと機械的かつ電気的に接続されている。このように、本実施形態によれば、取付構造１０Ｂが複数の第四の部材６を有するため、例えば、照明装置７Ａの形状、あるいは数等が異なる複数の仕様の乗りかご１（図１参照）に対応することができる。
【００３７】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３８】
１…乗りかご、２…かご、２ａ…壁部（第一の壁部）、２ｂ〜２ｅ…壁部、２ｒ，２ｓ…貫通孔（第一の貫通孔）、２ｒ１，２ｓ１…縁部、３…第一の部材、３Ａ…第一の部品、３Ｂ…第二の部品、４，４Ａ…第二の部材、４ｘ…軸部（回転軸）、５…第三の部材、６…第四の部材、６ｂ…取付部、７，７Ａ…照明装置、８…ダミー部材、１０，１０Ａ，１０Ｂ…取付構造（エレベータの照明装置の取付構造）、Ａｘ…回転中心、Ｘ…第一の方向、Ｙ…第二の方向、Ｚ…壁部２ａの厚さ方向。
【図１】
2017193431.tif 000003
【図２】
2017193431.tif 000004
【図３】
2017193431.tif 000005
【図４】
2017193431.tif 000006
【図５】
2017193431.tif 000007
【図６】
2017193431.tif 000008
【図７】
2017193431.tif 000009
【図８】
2017193431.tif 000010
【図９】
2017193431.tif 000011
【図１０】
2017193431.tif 000012
【図１１】
2017193431.tif 000013
【図１２】
2017193431.tif 000014
【図１３】
2017193431.tif 000015